(57)【要約】【課題】所定位置に所定の書面を置いて画像を撮影する作業の利便性を向上する技術を提供する。【解決手段】画像撮影装置は、光を透過させる透過素材の載置面に対象書面が載置される載置台と、所定のガイド画像を出力する画像表示部と、前記画像表示部によるガイド画像の光を、前記載置面を見る利用者の視線と交差する空間上の結像面に結像する空間結像部と、前記載置面に載置された前記対象書面の画像を、前記載置面を透して撮影する撮影部と、を有する。【選択図】図１
2020112717.tif 000002
【特許請求の範囲】
【請求項１】
光を透過させる透過素材の載置面に対象書面が載置される載置台と、
所定のガイド画像を出力する画像表示部と、
前記画像表示部によるガイド画像の光を、前記載置面を見る利用者の視線と交差する空間上の結像面に結像する空間結像部と、
前記載置面に載置された前記対象書面の画像を、前記載置面を透して撮影する撮影部と、
を有する画像撮影装置。
【請求項２】
前記空間結像部は、ビームスプリット部材と反射部材とを有し、前記ビームスプリット部材が、前記画像表示部からのガイド画像の光の少なくとも一部を前記反射部材に向けて反射し、前記反射部材が、前記ビームスプリット部材からの光の少なくとも一部を前記ビームスプリット部材に向けて反射し、前記ビームスプリット部材が、前記反射部材からの光の少なくとも一部を前記結像面に向けて透過する、
請求項１に記載の画像撮影装置。
【請求項３】
前記ビームスプリット部材は、前記載置面と平行な板状部材であり、
前記画像表示部は、前記ビームスプリット部材の下方に、前記利用者にとって手前から奥に向きかつ前記ビームスプリット部材の下面に向くように斜めに配置される画像表示面を有し、
前記反射部材は、前記ビームスプリット部材の下方でかつ前記画像表示面よりも奥にあり、奥から手前に向きかつ前記ビームスプリット部材の下面に向くように斜めに配置される反射面を有し、前記反射面により光を入射した方向に反射する再帰反射部材である、
請求項２に記載の画像撮影装置。
【請求項４】
前記反射部材は、光を反射する反射面に裏面からの光を透過する透過部を有し、前記載置面の前記対象書面とは逆側に、前記反射面を前記載置面に向けて設けられ、
前記撮影部は、前記反射部材の前記裏面側に、前記透過部を通して前記載置面の前記対象書面を撮影可能に設けられる、
請求項３に記載の画像撮影装置。
【請求項５】
前記ビームスプリット部材は、前記載置面の上方に、前記利用者にとって手前側が奥側より高くなるように斜めに配置される板状部材であり、
前記画像表示部は、前記ビームスプリット部材の上方に、手前から奥に向きかつ前記ビームスプリット部材の上面に向くように斜めに配置される画像表示面を有し、
前記反射部材は、前記ビームスプリット部材の上方でかつ前記画像表示面よりも奥にあり、奥から手前に向きかつ前記ビームスプリット部材の上面に向くように斜めに配置される反射面を有し、前記反射面により光を入射した方向に反射する再帰反射部材である、
請求項２に記載の画像撮影装置。
【請求項６】
前記対象書面が正しい位置に載置されているか否か判定し、前記対象書面が前記正しい位置に載置されていなければ前記画像表示部に所定の第１ガイド画像を表示させ、前記対象書面が前記正しい位置に載置されたら前記画像表示部に前記第１ガイド画像と異なる第２ガイド画像を表示させる処理部を更に有する、
請求項１に記載の画像撮影装置。
【請求項７】
前記処理部は、前記第２ガイド画像において、前記利用者の視点位置から見た前記正しい位置に載置された前記対象書面と重ならない位置に、前記対象書面が前記正しい位置に載置されたことを示す所定のテキストまたは画像を表示する、
請求項６に記載の画像撮影装置。
【請求項８】
前記画像表示部に、前記対象書面を前記載置台の正しい位置に置いたときの前記対象書面の少なくとも１つの角の位置を示すマーカー画像を、前記結像面の、前記対象書面を前記載置台の正しい位置に置いたときの前記対象書面の外側の位置に結像されるように表示させる処理部を更に有する、
請求項１に記載の画像撮影装置。
【請求項９】
前記画像表示部に、前記対象書面が前記載置台の正しい位置に載置された状態を模した載置画像を、前記結像面の、前記正しい位置に置かれた前記対象書面と重なる位置に結像されるように表示させる処理部を更に有する、
請求項１に記載の画像撮影装置。
【請求項１０】
前記処理部は、複数の対象書面の画像を取得する場合に、前記画像表示部に第１対象書面用のガイド画像を表示させ、前記第１対象書面が正しい位置に載置されたら、前記画像表示部に、前記第１対処書面用のガイド画像と異なる第２対象書面用のガイド画像を表示させる、
請求項９に記載の画像撮影装置。
【発明の詳細な説明】
【技術分野】
【０００１】
所定位置に置かれた所定の書面の画像を撮影する画像撮影装置に関する。
【背景技術】
【０００２】
近年では、銀行などの金融機関によるサービスやその他の事業者による各種サービスにおいて、受け付け窓口等での対面ではなく、利用者が端末機械を操作することにより加入契約やサービスの申し込み等の手続が可能となっている。手続の際には、利用者は必要事項が記入された帳票書面や身分証明書など所定の書面を端末機械に読み取らせることが求められる。
【０００３】
利用者が、端末機械によるガイダンスに従って手続きに必要な所定の書面を端末機械の所定の位置に置くと、端末機械はカメラで書面の画像を撮影する。当該画像は端末機械あるいはセンタサーバにおける処理に利用される。例えば、当該画像は利用者の認証や必要な情報の取得に利用されたり、証明情報として保管されたりする。
【０００４】
書面に表示された情報が判別可能な画像を取得するために、端末機械は、書面の置き方について利用者に対して映像によるガイダンスを画面に表示する。例えば、提示を求める書面の種類、表向きに置くか裏向きに置くかという書面の上下方向の向き、書面の上方向を奥側に置くか手前側に置くかという前後方向の向き、書面をどこに置くかという前後方向や左右方向の位置、などを指示するガイダンスを画面に表示することがある。
特許文献１には、プリズムアレイを介して空間上に映像を表示する装置が開示されている。
【先行技術文献】
【特許文献】
【０００５】
【特許文献１】特開２０１４−２４０９６０号公報
【発明の概要】
【発明が解決しようとする課題】
【０００６】
端末機械の所定位置に所定の書面を載置してその画像を撮影する場合、利用者は、視線を切り替えて、ガイダンスの映像と書面を置く載置面の両方を見ながら適正な態様となるように書面を載置することになる。視線を切り替えながらの作業は、書面の種類を間違えたり、書面の表裏を間違えたり、書面を載置する位置を間違えたりといったミスを誘発する可能性がある。
本開示のひとつの目的は、所定位置に所定の書面を置いて画像を撮影する作業の利便性を向上する技術を提供することである。
【課題を解決するための手段】
【０００７】
本開示による画像撮影装置は、光を透過させる透過素材の載置面に対象書面が載置される載置台と、所定のガイド画像を出力する画像表示部と、前記画像表示部によるガイド画像の光を、前記載置面を見る利用者の視線と交差する空間上の結像面に結像する空間結像部と、前記載置面に載置された前記対象書面の画像を、前記載置面を透して撮影する撮影部と、を有している。
【発明の効果】
【０００８】
利用者が対象書面を載置する載置面を見たときに視界に入る空間にガイド画像が表示されるので、所定位置に対象書面を置く作業の利便性が向上する。
【図面の簡単な説明】
【０００９】
【図１】第１実施形態による窓口装置の概略構成図である。
【図２】第１実施形態による窓口装置の載置台の周辺を利用者の視点位置と共に示す図である。
【図３】ガイド映像に含まれる画像の一例について説明するための図である。
【図４】ガイド映像に含まれる画像の他の例について説明するための図である。
【図５】第２実施形態による窓口装置の載置台の周辺を利用者の視点位置と共に示す図である。
【発明を実施するための形態】
【００１０】
（第１実施形態）
図１は、第１実施形態による窓口装置の概略構成図である。ここに例示される窓口装置１は利用者の操作によりサービスの利用を可能にする機械である。窓口装置１は、サービス利用のために必要な所定の書類の画像を撮影する機能を備えている。窓口装置１が読み取る対象の書面を以下、対象書面（１１）と称する。
【００１１】
図１を参照すると、窓口装置１は、載置台２、空間結像器３、第１映像表示器４、処理装置５、カメラ６、および第２映像表示器７を有している。
【００１２】
載置台２は、利用者が対象書面１１を窓口装置１に撮影させるために置く台である。載置台２の対象書面１１を置く部分は下から画像を撮影できるように、光を透過する透過素材で構成されたガラス板である。載置台２の対象書面１１を置く部分を以下、載置面と称する。利用者は、対象書面１１を、窓口装置１に撮影させる側の面を下側に向けて載置台２の載置面に置く。
【００１３】
第１映像表示器４および第２映像表示器７は、処理装置５からの制御に従って、利用者に作業を案内する内容の映像を表示する画像表示部である。特に、第２映像表示器７は、載置台２の載置面に対象書面１１を載置するための案内の映像（ガイド映像）を表示する。対象書面１１の画像を良好に撮影するために、利用者に対象書面１１を載置面の所定の位置に正しく置かせる必要がある。第２映像表示器７によるガイド映像は、後述する空間結像器３により、載置面を見る利用者の視線と交差する空間上の所定の面に結像される。このガイド映像が結像される面を以下、結像面（１０）と称する。利用者は、視線を切り替えることなく載置台２の載置面と空間上のガイド映像とを同時に見ながら対象書面１１を位置決めすることができ、その結果、対象書面１１を容易に正しい位置に置くことができる。第２映像表示器７が表示するガイド映像には、例えば対象書面１１の載置位置を示すマーカーが含まれている。利用者は、マーカーを頼りに対象書面１１を位置決めすることができる。本実施形態によるガイド映像の詳細は後述する。
【００１４】
空間結像器３は、第２映像表示器７からのガイド映像の光を結像面１０に結像する空間結像部であり、反射板８と偏光ビームスプリッタ９とを有している。反射板８は、入射した光を入射した方向に反射する再帰反射性を備えた板状の光学部材（反射部材）である。偏光ビームスプリッタ９は、入射した光の一部を反射し、一部を透過する板状の光学部材（ビームスプリット部材）である。偏光ビームスプリッタ９は一例としてハーフミラーである。偏光ビームスプリッタ９が、第２映像表示器７からのガイド画像の光の少なくとも一部を反射板８に向けて反射し、反射板８が、偏光ビームスプリッタ９からの光の少なくとも一部を偏光ビームスプリッタ９に向けて反射し、偏光ビームスプリッタ９が、反射板８からの光の少なくとも一部を結像面１０に向けて透過する。反射板８には、カメラ６により載置面の対象書面１１を撮影できるように、光を反射する反射面８ａと裏面８ｂとの間を貫通する貫通穴８ｃが設けられている。
【００１５】
なお、ここでは理解が容易な構成として、第２映像表示器７と空間結像器３とを別個の装置とする例を示したが、この構成に限定されることはない。第２映像表示器７を空間結像器３の一部とし、第２映像表示器７の映像表示面と、反射板８と、偏光ビームスプリッタ９との位置関係を所定の関係に固定したユニットとしてもよい。当該ユニットを筐体の所定の位置に所定の角度で設置することにより窓口装置１を容易に製作できるようになる。
【００１６】
カメラ６は、載置台２の載置面に置かれた対象書面１１の画像を撮影する撮影部である。カメラ６は、載置台２の載置面から見て反射板８の裏面８ｂ側に載置されており、反射板８の貫通穴８ｃから対象書面１１を撮影する。
【００１７】
処理装置５は、第１映像表示器４、第２映像表示器７、およびカメラ６を制御し、連携させる処理装置である。処理装置５は、例えば、プロセッサによりソフトウェアプログラムを実行することにより所望の処理を実行する装置である。処理装置５は、例えば、利用者に対象書面１１を載置台２の載置面に置くように促す映像を第１映像表示器４に表示させ、次に、載置面の所定の位置に対象書面１１を置くことを支援するガイド映像を第２映像表示器７に表示させ、次に、カメラ６に対象書面１１を撮影させる。利用者が対象書面１１を載置面に置く作業中にカメラ６に映像を撮影させ、撮影された映像に応じて利用者の作業を支援する第２映像表示器７に表示させる映像を制御することにしてもよい。例えば、対象書面１１をどのように動かせば載置面の正しい位置に置くことができるかを、ガイド映像におけるテキストおよび／または画像で示すことにしてもよい。
【００１８】
図２は、第１実施形態による窓口装置の載置台の周辺を利用者の視点位置と共に示す図である。図２には、利用者１２と、載置台２と、対象書面１１と、空間結像器３と、カメラ６と、第２映像表示器７と、結像面１０とが示されている。空間結像器３の偏光ビームスプリッタ９は、載置台２の載置面と平行な板状部材である。第２映像表示器７は、偏光ビームスプリッタ９の下方に、利用者１２にとって手前（図２中の左）から奥（図２中の右）に向きかつ偏光ビームスプリッタ９の下面に向くように斜めに配置される映像表示面７ａを有している。反射板８は、再帰反射部材で構成され、偏光ビームスプリッタ９の下方でかつ映像表示面７ａよりも奥にあり、奥から手前に向きかつ偏光ビームスプリッタ９の下面に向くように斜めに配置される反射面８ａを有する。
【００１９】
カメラ６は、反射板８の裏面８ｂ側に、貫通穴８ｃを通して載置面２ａの対象書面１１を撮影可能に設けられる。カメラ６は、利用者１２の視点位置１２ａから見て結像面１０および偏光ビームスプリッタ９の向こう側に配置されることになる。結像面１０は載置面２ａと利用者１２の視点位置１２ａとの間にあることになる。結像面１０はカメラ６から見て対象書面１１の向こう側にある。ガイド映像は、その結像面１０には反射板８で反射された光が偏光ビームスプリッタ９を透して結像される範囲に表示される。したがって、結像面１０のガイド画像はカメラ６が対象書面１１を撮影するのに妨げとなることはない。
【００２０】
本実施形態によれば、利用者１２が対象書面１１を載置する載置面２ａを見たときに視線上にガイド映像が表示されるので、所定位置に対象書面を置く作業の利便性が向上する。例えば、仮に、結像面１０に実体のあるディスプレイ装置を配置してガイド映像を表示する構成とした場合、対象書面１１を目視する利用者の視線が妨げられ、利便性の低いものとなることが考えられる。利用者１２は視線を移動させず手元に集中して対象書面１１を置く作業を行うことができるので、結果として、利用者１２が対象書面１１の表裏を間違えたり、求められた対象書面１１ではない書面を置いてしまったりといったリスクの低減が期待できる。視覚的に分かり易く、操作性が良くなることから、作業に要する時間の短縮も期待できる。載置面に直接マーカーを設けるのではないので、ガイド映像の映像コンテンツを変更することで多種多様な対象書面１１に対応できる。
【００２１】
また、本実施形態の窓口装置１は、ガイド映像像の光を複数回反射して結像面１０に結像する構成であるので、第２映像表示器７のガイド映像を表示する結像面１０を利用者１２の視点位置との関係において適切な位置に容易に設定することができる。
【００２２】
また、本実施形態の窓口装置１は、図１および図２に示した配置構成を採用することで、第２映像表示器７を載置面２aの下方の手前側に配置して映像表示面７ａを奥に向けておきながら利用者１２の視線上に結像面１０を構成できる。
【００２３】
また、本実施形態の窓口装置１は、カメラ６が反射板８の貫通穴８ｃ（透過部）を透して対象書面１１の下面を撮影するので、下面あるいは両面を撮影する必要がある対象書面１１の必要な画像を撮影することができる。
【００２４】
なお、本実施形態の窓口装置１では、結像面１０が、偏光ビームスプリッタ９がなす面に対して、第２映像表示器７の映像表示面７ａと面対象の位置に構成される。そのため、想定される利用者１２の視線方向に合わせて、第２映像表示器４の配置や角度を変更することで、適切な位置および角度に結像面１０を構成することができる。
【００２５】
図３は、ガイド映像に含まれる画像の一例について説明するための図である。ガイド映像に含まれる画像をガイド画像と称することにする。図３のガイド画像２０には、載置画像２１とマーカー画像２２とが含まれている。載置画像２１およびマーカー画像２２はいずれも対象書面１１を正しい位置に載置することを支援する画像である。
【００２６】
載置画像２１は、対象書面１１が載置台２の正しい載置位置に載置された状態を模した画像である。処理装置５は、載置画像２１を、結像面１０の、正しい位置に置かれた対象書面１１と重なる位置に結像されるように、第２映像表示器７に表示させる。利用者は、対象書面１１を載置画像２１に重ね合わせるように載置台２に載置することで、対象書面１１を正しい載置位置に載置できる。
【００２７】
マーカー画像２２は、対象書面１１が載置台２の正しい載置位置に載置された状態での対象書面１１の角の位置を示すＬ字形の画像である。処理装置５は、第２映像表示器７に、対象書面１１を載置台２の正しい位置に置いたときの対象書面１１の少なくとも１つの角の位置を示すマーカー画像を、結像面１０の、対象書面１１を載置台２の正しい位置に置いたときの対象書面１１の外側の位置に結像されるように表示させる。利用者は、対象書面１１を、マーカー画像２２を目印にして、載置台２に載置することで、対象書面１１を正しい載置位置に載置できる。
【００２８】
結像面１０には、図２に示した位置にいる利用者１２の視点位置１２ａから見て、偏光ビームスプリッタ９と反射板８とが重なる範囲にのみガイド映像が結像される。載置台２に対象書面１１が載置されたときには、結像面１０の対象書面１１と重なる部分ではガイド映像の光が対象書面１１に遮られ、結像面１０の対象書面１１と重なる部分にはガイド映像は結像されない。しかし、上述のように、マーカー画像２２を対象書面１１の外側に配置することで、対象書面１１を載置した状態でもマーカー画像２２を表示させ、利用者１２に正しい載置位置を確認させることができる。
【００２９】
なお、図３には、一例として、対象書面１１の手前の２つの角をそれぞれ示す２つのマーカー画像２２が示されている。ただし、対象書面１１が四角形の場合、マーカー画像２２は１つから４つのいずれであってもよい。
【００３０】
また、図２に示したように、結像面１０は利用者１２の視点位置１２ａからの距離が載置台２の載置面２ａと異なる。また、載置台２の載置面２ａと結像面１０とは一定の角度をなしているため、視点位置１２ａから載置面２ａのある位置（載置面特定位置）までの距離と、視点位置１２ａから視点位置１２ａとその載置面特定位置とを結ぶ直線が結像面１０と交差する点までの距離との差は、載置面特定位置によって異なる。そのため、処理装置５は、第２映像表示器７に、その距離の差による見え方の違いを補正した載置画像２１が結像面１０に結像される映像を表示させる。
【００３１】
また、利用者に複数種類の対象書面１１を順次提示することを求める場合、処理装置５は、カメラ６で撮像される画像に基づいて、ある対象書面１１が正しい位置に載置されたか否か判定し、対象書面１１が正しい位置に載置され、利用者に載置台２に載置させる対象書面１１を切り替えるとき、映像表示器７に、載置画像２１を新しい対象書面１１用のものに切り替えさせることにしてもよい。載置すべき対象書面１１が切り替わるときに載置画像２１が切り替わるので、対象書面を切り替えることを利用者１２に分かりやすく案内することができる。
【００３２】
図４は、ガイド映像に含まれる画像の他の例について説明するための図である。図４のガイド画像２３は、図３のガイド画像２０とは異なる色となっている。この図３のガイド画像２０から図４のガイド画像２３への色の変化は、対象書面１１が正しい位置に載置されたことを利用者１２に提示する。また、ガイド画像２３にはガイドテキスト２４が含まれている。ガイドテキスト２４は対象書面１１が正しい位置に載置されたことを提示するテキストである。
【００３３】
処理装置５は、カメラ６で撮影される画像に基づき対象書面１１が正しい位置に載置されているか否か判定し、対象書面１１が正しい位置に載置されていなければ第２映像表示器７に図３のガイド画像２０（第１ガイド画像）を表示させ、対象書面１１が正しい位置に載置されたら第２映像表示器７に図４のガイド画像２３を表示させる。対象書面１１が正しい位置に載置できたら空間上にガイド画像が変化するので、利用者１２は、対象書面１１を正しく載置できたことを、視線を移動しないままで視覚的に確認することができる。
【００３４】
また、処理装置５は、ガイド画像２３において、利用者１２の視点位置１２ａから見た正しい位置に載置された対象書面１１と重ならない位置に、対象書面１１が正しい位置に載置されたことを示すガイドテキスト２４を表示する。ここではガイドテキスト２４を例示しているが、それの代わりに、あるいはそれと共に、対象書面１１が正しい位置に載置されたことを示す所定の画像を表示してもよい。対象書面１１が正しい位置に載置できたらガイドテキスト２４または所定の画像が表示されるので、利用者１２は、対象書面１１を正しく載置できたことを、視線を移動しないままで視覚的に確認することができる。
【００３５】
結像面１０における利用者１２の視点位置１２ａから見て対象書面１１と重ならない部分の表示により、対象書面１１が正しい位置に載置されことを分かり易い表示の変化で表現することができる。ここでは、ガイド画像の背景色の変化とガイドテキスト２４の提示で表現しているが、これに限定されることはない。他の例として様々な映像効果を利用することもできる。また、ガイド画像に加え、あるいはガイド画像の代わりに、ブザー、スピーカーに代表される音を発する装置を設け、所定の音で利用者１２に対象書面１１が正しい位置に載置されたことを提示してもよい。
【００３６】
なお、ここでは、処理装置５がカメラ６で撮影される画像から対象書面１１が正しい位置に載置されたか否か判断する例を示したが、これに限定されることはない。他の例として、別途、載置台２の載置面２ａの正しい位置に対象書面１１が載置されたことを検知するセンサーを設け、処理装置５は、センサーの検知結果から、対象書面１１が正しい位置に載置されたことを判断することにしてもよい。例えば、赤外線の発光素子と受光素子を有するセンサーが利用可能である。発光素子と受光素子を、載置面２ａを挟むように上下に、対象書面１１が正しい位置に載置された状態では発光素子からの赤外線が受光素子に到達しないように位置に配置すればよい。
【００３７】
また、第１実施形態では、空間結像器３を載置台２の下方に配置し、空間結像器３の偏光ビームスプリッタ９が載置台２の載置面２ａと平行である例を示したが、これに限定されることはない。
【００３８】
（第２実施形態）
第２実施形態では、第２映像表示器および空間結像器を載置台の上方に配置する例を示す。以下では主に第２実施形態における第１実施形態と異なる点について説明する。
【００３９】
図５は、第２実施形態による窓口装置の載置台の周辺を利用者の視点位置と共に示す図である。図５には、利用者１２と、載置台２と、対象書面１１と、空間結像器３３と、カメラ６と、第２映像表示器３７と、結像面４０とが示されている。空間結像器３３と、第２映像表示器３７と、結像面４０とは、第１実施形態における空間結像器３と、第２映像表示器７と、結像面１０にそれぞれ対応する。
【００４０】
本実施形態では、窓口装置における対象書面１１を載置する載置台２が、第１実施形態の場合に比べてやや高い位置に設定される構成を想定している。載置台２が高くなると利用者１２の視線がやや上に向くことになる。図５の例では、利用者１２の視線は概ね水平かあるいは水平よりも若干上向きとなっている。本実施形態では、第２映像表示器３７および空間結像器３３を載置台２の上方に配置することで、利用者１２の視線方向の違いに対応している。
【００４１】
空間結像器３３の偏光ビームスプリッタ３９は、第１実施形態の偏光ビームスプリッタ９と同一部材であり、載置台２の載置面の上方に、利用者１２にとって手前側（図５中の左側）が奥側（図５中の右側）より高くなるように斜めに配置される。
【００４２】
第２映像表示器３７は、第１実施形態の第２映像表示器７と同一装置であり、偏光ビームスプリッタ３９の上方に、手前から奥に向きかつ偏光ビームスプリッタ３９の上面に向くように斜めに配置される映像表示面３７ａを有している。
【００４３】
反射板３８は、偏光ビームスプリッタ３９の上方でかつ映像表示面３７ａよりも奥にあり、奥から手前に向きかつ偏光ビームスプリッタ３９の上面に向くように斜めに配置される反射面３８ａを有する再帰反射性の部材である。
【００４４】
本実施形態によれば、第２映像表示器３７を載置面２ａの上方の手前に配置して映像表示面３７ａを奥に向けておきながら利用者１２の視線上に結像面４０を構成できる。本実施形態の窓口装置では、結像面４０が、偏光ビームスプリッタ３９がなす面に対して、第２映像表示器３７の映像表示面３７ａと面対象の位置に構成される。そのため、想定される利用者１２の視線方向に合わせて、第２映像表示器３７の配置や角度を変更することで、適切な位置および角度に結像面４０を構成することができる。
【００４５】
上述した各実施形態は説明のための例示であり、発明の範囲を限定する趣旨ではない。当業者は、発明の範囲を逸脱することなしに、他の様々な態様を採用することができる。
【符号の説明】
【００４６】
１…窓口装置、２…載置台、２ａ…載置面、３…空間結像器、４…第１映像表示器、５…処理装置、６…カメラ、７…映像表示器、７ａ…映像表示面、８…反射板、８ａ…反射面、８ｂ…裏面、８ｃ…貫通穴、９…偏光ビームスプリッタ、１０…結像面、１１…対象書面、１２…利用者、１２ａ…視点位置、２０…ガイド画像、２１…載置画像、２２…マーカー画像、２３…ガイド画像、２４…ガイドテキスト、３３…空間結像器、３７…映像表示器、３７ａ…映像表示面、３８…反射板、３８ａ…反射面、３９…偏光ビームスプリッタ、４０…結像面
【図１】
2020112717.tif 000003
【図２】
2020112717.tif 000004
【図３】
2020112717.tif 000005
【図４】
2020112717.tif 000006
【図５】
2020112717.tif 000007